(57)【要約】  太陽電池アレイを組み立てるための組立技法が提供される。太陽電池の製作時に、半導体層を貫通する開口部が、裏面金属層の上面までエッチングされる。この太陽電池は、裏面金属層の露出した上面を含む。複数の太陽電池が太陽電池アレイに組み立てられ、このアレイでは、隣接した電池が、太陽電池の上面からのみ電気的に直列又は並列に相互接続される。
2012526396.tif 000002
【特許請求の範囲】
【請求項１】
太陽電池アレイにおける第1太陽電池を第2太陽電池に隣接して相互接続するための方法であって、
第2太陽電池に隣接した第1太陽電池を設ける段階で、少なくとも前記第1太陽電池が、裏面金属層の上に形成された半導体層を含んだ、設ける段階と、
前記第1太陽電池の前記裏面金属層の上面の一部を露出させるために、前記第1太陽電池の前記半導体層の一部をエッチングする段階と、
前記第1太陽電池の前記裏面金属層の前記露出した上面を、相互接続タブを用いて前記第2太陽電池の上面に結合することによって、前記第1太陽電池と前記第2太陽電池とを相互接続する段階と、を含む方法。
【請求項２】
前記第2太陽電池の前記上面に金属化部分を形成する段階をさらに含み、前記第1太陽電池の前記裏面金属層の前記露出した上面が、前記第2太陽電池の前記上面に形成された前記金属化部分に結合されている、請求項1に記載の方法。
【請求項３】
基板上に剥離層を形成する段階と、
前記剥離層上に太陽電池アレイを形成する段階であって、前記アレイが少なくとも前記第1太陽電池を前記第2太陽電池に隣接して含む、形成する段階と、
前記基板と前記太陽電池アレイとの間の前記剥離層を除去する段階と、
前記太陽電池アレイを前記基板から分離する段階とをさらに含む、請求項1に記載された方法。
【請求項４】
前記第1太陽電池と前記第2太陽電池とが、前記第1太陽電池及び前記第2太陽電池の同一側から相互接続されている、請求項1に記載の方法。
【請求項５】
前記第1太陽電池と前記第2太陽電池とが、前記第1太陽電池の上側及び前記第2太陽電池の上側から相互接続されている、請求項1に記載の方法。
【請求項６】
前記第1太陽電池と前記第2太陽電池とが、前記第1太陽電池の上側を前記第2太陽電池の上側に結合することによって相互接続されている、請求項1に記載の方法。
【請求項７】
前記第1太陽電池と前記第2太陽電池との相互接続が、前記第1太陽電池と前記第2太陽電池との間に直列接続を形成する、請求項1に記載の方法。
【請求項８】
前記第1太陽電池と前記第2太陽電池との相互接続が、前記第1太陽電池と前記第2太陽電池との間に並列接続を形成する、請求項1に記載の方法。
【請求項９】
前記第1太陽電池と前記第2太陽電池との相互接続が、前記第1太陽電池と前記第2太陽電池との間に並列接続及び直列接続を形成する、請求項1に記載の方法。
【請求項１０】
バイパスダイオードを前記第2太陽電池の前記上面の一部に接続する段階をさらに含み、前記第1太陽電池と前記第2太陽電池とが、前記第1太陽電池の前記裏面金属層の前記露出した上面を前記第2太陽電池の前記バイパスダイオードに結合することによって相互接続されている、請求項1に記載の方法。
【請求項１１】
前記第1太陽電池と前記第2太陽電池とが、前記第1太陽電池及び前記第2太陽電池の同一側から相互接続されている、請求項10に記載の方法。
【請求項１２】
前記第1太陽電池と前記第2太陽電池とが、前記第1太陽電池の上側及び前記第2太陽電池の上側から相互接続されている、請求項10に記載の方法。
【請求項１３】
前記相互接続タブが金属製の相互接続タブである、請求項1に記載の方法。
【請求項１４】
太陽電池アレイであって、
裏面金属層の上に設けられた半導体層で形成された第1太陽電池で、前記第1太陽電池の前記半導体層の一部がエッチングされ、前記第1太陽電池の前記裏面金属層の上面の一部を露出させる、前記第1太陽電池と、
前記第1太陽電池に隣接して設けられた第2太陽電池とを含み、前記第1太陽電池と前記第2太陽電池とが、前記第1太陽電池の前記裏面金属層の前記上面の前記エッチング部分を前記第2太陽電池の上面に結合することによって、相互接続タブを用いて相互接続されている、太陽電池アレイ。
【請求項１５】
前記第2太陽電池が、前記第2太陽電池の前記上面に形成された金属化部分を含み、
前記第1太陽電池の前記裏面金属層の前記露出した上面が、前記第2太陽電池の前記上面に形成された前記金属化部分に結合されている、請求項14に記載の太陽電池アレイ。
【請求項１６】
前記第2太陽電池が、前記第2太陽電池の前記上面の一部に結合されたバイパスダイオードを含み、
前記第1太陽電池と前記第2太陽電池とが、前記第1太陽電池の前記裏面金属層の前記露出した上面を前記第2太陽電池の前記バイパスダイオードに結合することによって相互接続する段階と、を含む請求項14に記載の太陽電池アレイ。
【請求項１７】
前記第1太陽電池と前記第2太陽電池との間に直列ダイオード接続又は並列ダイオード接続が存在する、請求項14に記載の太陽電池アレイ。
【請求項１８】
太陽電池アレイを形成するための方法であって、
複数の太陽電池を設ける段階で、太陽電池が裏面金属層の上に形成された半導体層を含み、前記裏面金属層の上面の一部が露出されている、設ける段階と、
接着剤をフィルム層に塗布する段階と、
前記複数の太陽電池を前記フィルム層の上に配置する段階と、
第1太陽電池の前記裏面金属層の前記露出した上面を隣接する第2太陽電池の上面に結合することによって、前記複数の太陽電池を1つ又は複数の相互接続タブを用いて相互接続する段階と、
接着剤を前記複数の相互接続された太陽電池に塗布する段階と、
上部フィルムを前記複数の相互接続された太陽電池にラミネートして太陽電池アレイを形成する段階とを含む、方法。
【請求項１９】
前記複数の太陽電池を相互接続する前記段階が、
1つ又は複数のバイパスダイオードを前記太陽電池の上側に取り付ける段階と、
前記1つ又は複数の相互接続タブを前記太陽電池の前記上側に取り付ける段階とを含む、請求項18に記載の方法。
【請求項２０】
前記1つ又は複数のバイパスダイオード及び前記1つ又は複数の相互接続タブが、前記1つ又は複数のバイパスダイオード及び前記1つ又は複数の相互接続タブを前記太陽電池の前記上側から溶接することによって前記太陽電池の前記上側に取り付けられている、請求項19に記載の方法。
【請求項２１】
前記第1太陽電池が、前記隣接する第2太陽電池と直列又は並列に接続されている、請求項18に記載の方法。
【発明の詳細な説明】
【技術分野】
【０００１】
（関連出願）
本出願は、2009年5月4日に提出された米国仮出願第61/175,259号の優先権を主張する。また、上記米国仮出願はその全体を参照して本明細書に援用する。
【０００２】
（技術分野）
本願は、太陽電池装置などの光起電性装置に関する。より詳細には、本願は、隣接する太陽電池同士を１つの表面のみから相互接続することによって太陽電池アレイを形成するための組立技法に関する。
【背景技術】
【０００３】
光起電性装置は光エネルギーを電気に変換する。「太陽電池装置」という用語は、太陽光からエネルギーを捕捉する装置を指すためにしばしば用いられるが、「太陽電池装置」及び「光起電性装置」という用語は、本願においては光源が何であっても交換可能に使用される。
【０００４】
図1に示した従来の半導体太陽電池100は、3つの層を含んでいる。第1層104は、第2層上に金属グリッドにより形成されている。第2層106は、第3層上に半導体物質により形成されている。第3層すなわち底部層又は裏面層は、金属ブランケット層である。
【０００５】
従来は、複数の隣接した太陽電池は、その前表面及び裏表面に接続された相互接続タブを用いて１つの太陽電池に組み立てられている。図2A乃至2Dは、相互接続タブ206を用いて隣接した電池100を直列に連結する例示的な太陽電池アレイ200を示す。太陽電池を太陽電池アレイへと組み立てるための従来の方法は、図2A乃至2Dに示したように太陽電池の裏表面及び前表面の両方への接続が必要になるため、太陽電池アレイの大量組立を促進するものではなかった。
【０００６】
図2Aは、従来の方法に従って組み立てられた従来の太陽電池アレイ200の断面図を示す。特に、図2Aは、隣接した太陽電池100の上面と底面とを接触させる相互接続タブ206を示す。図2Aに示したように、相互接続タブ206は、従来の第1太陽電池100の裏面層108の底面に接続されて底面接続部204を形成している。相互接続タブ206は、第2太陽電池101の半導体層106の上面に接続されて上面すなわち前面接続部202を形成している。
【０００７】
太陽電池の従来の前面接続部202と裏面接続部204を形成するために、接合ツールは少なくとも太陽電池を少なくとも2回はスイープする。1回目のスイープは、図2A乃至2Dに示した前面接続部202を形成するために太陽電池アレイ200の半導体層106の上面すなわち前表面を横切るものとすればよい。2回目のスイープは、図2A乃至2Dに示した裏面接続部204を形成するために太陽電池アレイ200の裏面金属層108の裏表面すなわち底表面を横切るものとすればよい。
【０００８】
図2Bは、図2Aに示した従来の太陽電池アレイの上面図である。図2Bに示したように、第1太陽電池100の上面は、相互接続タブ206を介して隣接した第2太陽電池101の底面に接続されている。相互接続タブ206の一部は、上面すなわち前面接続部202を形成するため、第1太陽電池100の上面に取り付けられている。相互接続タブ206の別の部分は、裏面接続部204を形成するため、第2太陽電池101の裏表面に取り付けられている。
【０００９】
図2Cは、図2Aに示した従来の太陽電池アレイの底面図である。図2Bに示したように、従来の方法では、バイパスダイオード接続部のためのタブ208が、従来の半導体太陽電池100の半導体層106の上面に設けられている。図2Cに示したように、バイパスダイオード209の一表面が、従来の同一半導体太陽電池100の裏面金属層108の裏表面に接続される一方、バイパスダイオード209の反対表面は上述したタブ208に接続されている。
【００１０】
図2Dは、図2A乃至2Cに示した従来の太陽電池アレイに関連して使用される例示的な従来の相互接続タブ206及びバイパスダイオードタブ208の近接側面図である。図2Dに示したように、バイパスダイオードタブ208は太陽電池100の縁部の周りを事実上回り込み、かつ、バイパスダイオード209を上面に接触させて必要に応じて太陽電池を効果的にバイパスする。
【００１１】
従って、太陽電池アレイを容易に大量組立可能とする、隣接した太陽電池を太陽電池アレイへと組み立てるための新たな方法が必要とされている。
【発明の概要】
【００１２】
本発明の様々な実施形態は、複数の太陽電池を1つ又は複数の太陽電池アレイへと組み立てるための組立技法を提供する。太陽電池の製作時に、半導体層を貫通する開口部が、裏面金属層の上面を露出するようにエッチングされる。製作工程に続く前記組立工程において、太陽電池アレイにおける隣接する電池は、前記太陽電池の一表面、例えば上面からのみ電気的に直列又は並列に相互接続される。本発明の前記組立方法及び前記組立方法を用いて形成された太陽電池構造体は、太陽電池アレイシートの大量生産、自動組立を可能とする。
【００１３】
本発明の様々な実施形態よれば、太陽電池アレイにおける第1太陽電池を第2太陽電池に隣接して相互接続するための方法が提供される。前記方法は、第1太陽電池を第2太陽電池に隣接して設ける段階を含む。少なくとも前記第1太陽電池は、裏面金属層の上に形成された半導体層を含む。前記方法は、前記第1太陽電池の前記裏面金属層の上面の一部を露出させるために、前記第1太陽電池の前記半導体層の一部をエッチングする段階をさらに含む。前記方法は、前記第1太陽電池の前記裏面金属層の前記露出した上面を、相互接続タブを用いて前記第2太陽電池の上面に結合することによって、前記第1太陽電池と前記第2太陽電池とを相互接続する段階をさらに含む。
【００１４】
本発明の一実施形態よれば、太陽電池アレイが、第1太陽電池と前記第1太陽電池に隣接して設けられた第2太陽電池とを含む。前記第1太陽電池は、裏面金属層の上に設けられた半導体層から形成される。前記第1太陽電池の前記裏面金属層の上面の一部を露出させるために、前記第1太陽電池の前記半導体層の一部がエッチングされる。前記第1太陽電池と前記第2太陽電池とが、前記第1太陽電池の前記裏面金属層の前記上面の前記エッチング部分を前記第2太陽電池の上面に結合することによって、相互接続タブを用いて相互接続されている。
【００１５】
本発明の別の実施形態によれば、太陽電池アレイを形成するための方法は、複数の太陽電池を設ける段階を含む。太陽電池が、裏面金属層の上に形成された半導体層を含み、前記裏面金属層の上面の一部が露出されている。前記方法は、接着剤をフィルム層に塗布する段階と、前記複数の太陽電池を前記フィルム層の上に配置する段階とをさらに含む。前記複数の太陽電池は、第1太陽電池の前記裏面金属層の前記露出した上面を隣接する第2太陽電池の上面に結合することによって、1つ又は複数の相互接続タブを用いて相互接続される。接着剤が、前記複数の相互接続された太陽電池に塗布される。前記方法は、上部フィルムを前記複数の相互接続された太陽電池にラミネートして太陽電池アレイを形成する段階をさらに含む。
【図面の簡単な説明】
【００１６】
本願の上述の特徴は、添付の図面と組み合わせて次の詳細な説明を参照すればよりよく理解できるはずである。
【図１】従来の従来の太陽電池装置の断面図である。
【図２】(A)従来の方法に従って組み立てられた従来の太陽電池アレイの断面図を示し、特に、隣接した太陽電池の上面と底面とを接触させる相互接続タブを示す。  (B)図2Aに示した従来の太陽電池アレイの上面図である。  (C)図2Aに示した従来の太陽電池アレイの底面図である。  (D)図2A乃至2Cに示した従来の太陽電池アレイに関連して使用される例示的な従来の相互接続タブの近接側面図である。
【図３】本発明の教示による、裏面金属層を露出するためのエッチング開口部を備えた例示的な太陽電池の断面図である。
【図４】(A)本願の教示に従った相互接続方式を用いて接続された例示的な太陽電池アレイの側面図である。  (B)図4Aに示した例示的な太陽電池アレイの上面図である。  (C)図4Aに示した例示的な太陽電池アレイの底面図である。  (D)本発明の例示的な実施形態に従って例示的な太陽電池アレイに関連して使用される例示的な相互接続タブの近接側面図である。
【図５】本願の教示による、相互接続方式を用いた太陽電池アレイを組み立てるための段階を示す概略的なフローチャートである。
【図６】本発明の教示に従って太陽電池アレイを形成するための段階を示す概略的フローチャートである。
【発明を実施するための形態】
【００１７】
本願発明者等は、年間総生産が100,000平方メートルを上回ることもある太陽電池アレイの大量組立に関して、すべての相互接続タブの取付及びバイパスダイオード接続を、太陽電池アレイの一方の側すなわち該太陽電池アレイの前表面又は裏表面からのみ行うことが有利であることを発見した。太陽電池アレイの大量組立の例は、無人飛行機、人工衛星、ソーラーブランケット、及び太陽発電などの応用例を含むが、それらに限定されない。太陽電池アレイの大量組立時には、複数の太陽電池は、心合わせを備えた自動道具を用いて持ち上げられ、かつ、フィルム層上に正確に配置できる。隣接した太陽電池は、その太陽電池の上面又は底面のいずれかの同一表面から接続すればよい。このフィルム層は、最終的に組み立てられた太陽電池アレイの一部としてもよいし、代替的には、組立目的の一時的な支持媒体(carrier
medium)としてもよい。このフィルム層が組立目的の一時的な支持媒体であれば、太陽電池が太陽電池アレイとして組み立てられた後でこのフィルム層は除去すればよい。
【００１８】
本発明の例示的な一実施形態によれば、複数の太陽電池を配置して太陽電池アレイを形成できる。隣接する太陽電池の相互接続部及びバイパスダイオードは、例えばこれら複数の太陽電池アレイの上側など太陽電池アレイの一表面からのみこれら太陽電池に取り付け又は接続できる。上述の製造技法では、太陽電池の反対表面すなわち裏面金属層の裏表面にアクセスする必要性がない。相互接続部及びバイパスダイオードが配置され、太陽電池に固定されれば、表面シート材料を太陽電池組立体の上に配置して、所定の位置に固定できる。
【００１９】
本明細書では、上面とは光に面する、すなわち直接露出される太陽電池の表面である。本明細書では、底面とは、上面の反対側に位置した太陽電池の表面である。底面は、光から反対方向に面している。
【００２０】
本発明の組立技法は、太陽電池が一定の形状であることを要件とする。すなわち、図3に示したように、相互接続タブが太陽電池の裏面金属と接触する半導体物質の領域はエッチングされていて、裏面金属の上面の一部を露出させている。エピタキシャルリフトオフ(ELO)法を用いて半導体物質の除去を促進し、本発明の様々な実施形態に従って裏面金属層を露出させることができる。エピタキシャルリフトオフ法は、取り付けられた裏面金属層と共に太陽電池装置を形成するエピタキシャル層を、剥離層の助けを利用して基板から剥離すなわち除去する工程を含む。剥離された後、標準的な半導体製造工程を実行してエピタキシャル層の幾つかの部分をエッチングすることができ、これによって裏面金属を露出させる。エピタキシャル層はELOアプローチでは比較的薄いので、このエッチング工程は、化学湿式法又はドライエッチング法を用いて実行できる。ゲルマニウムのようなバルク基板材料上に成長させた従来の太陽電池に関しては、導電裏面層を露出させるための活性半導体材料の除去は、活性半導体層積層体がELOアプローチに比べるとかなり厚いのでより困難である。
【００２１】
本願の教示に従って形成された例示的な太陽電池300は、図3に示した。例示的な太陽電池300は、裏面金属層310の上に形成された半導体層306を含む。複数のグリッド線304を半導体層308の上面に形成できる。半導体層306の一部はエッチングして、裏面金属層310の上面を露出させる。結果として、本発明の様々な実施形態による例示的な太陽電池300の裏面金属層310は、露出したエッチング面308を含む。
【００２２】
図3に示したように、本発明の教示に従って形成された太陽電池300は、光に面した上面を含む。太陽電池300は、光の反対側に面した裏表面を含む。特に、この太陽電池の上面は、光に面した半導体層306の上面である。この太陽電池の底面は、光から反対側に面した裏面金属層310の底面である。太陽電池300の底面は、太陽電池300の上面から反対側に位置している。さらに、この太陽電池は、太陽電池アレイ300の裏面金属層308の上面を露出する露出エッチング面308も含む。太陽電池300の裏面金属層308の上面は、太陽電池300の裏面金属層308の底面の反対側である。すなわち、この太陽電池の裏面金属層308の上面は、太陽電池300の半導体層306の底面に隣接し、かつ、物理的に接触している。
【００２３】
露出したエッチング面308を備えた複数の隣接した太陽電池300は、電気的に直列及び/又は並列に連結してよい。図4A乃至4Dに示したように、ダイオード接続部及び隣接した太陽電池間の相互接続部を含むすべての接続部は、太陽電池アレイの一面のみに設けることができる。本明細書に記載した組立方法は、従来の組立技法に従って図2A乃至2Dに示したような、隣接する太陽電池の前表面と裏表面とへの相互接続タブの接続を省いている。
【００２４】
図4A乃至4Dに示したように、相互接続タブ406は、1つの太陽電池の上面(例えば上部グリッド線)を隣接した太陽電池の裏面金属層の上面に接続することによって、隣接する太陽電池300を直列又は並列に電気的にブリッジする。
【００２５】
図4Aは、本願の教示による相互接続方式を用いて接続された例示的な太陽電池アレイ400の側面図である。図4Aに示したように、隣接する太陽電池300と301とを接続するには、第1太陽電池300の裏面金属層310上に形成された露出エッチング面308に上部すなわち前面接続部402を形成し、かつ、隣接する第2太陽電池301の半導体層306の上面に別の上部接続部を形成すればよい。したがって、相互接続タブ406は、第1太陽電池300の裏面金属層310の上面と、隣接する太陽電池301の半導体層306の上面とに接続される。
【００２６】
図4Bは、図4Aに示した例示的な太陽電池アレイ400の上面図である。図4Cは、図4Aに示した例示的な太陽電池アレイ400の底面図である。図4B及び4Cは、ダイオード409が、太陽電池300の上面から裏面金属層のエッチング面308に取り付けられていることを示す。ダイオード409の一表面は、エピタキシャル太陽電池材料のエッチングされた開口部308を介して裏面金属に接続されている。ダイオード409の反対面は、隣接する第2太陽電池301の上面に接続されたバイパスダイオードタブ408に取り付けられて、バイパス接続部を形成している。この接続方式は、従来の太陽電池でみられたように、バイパスダイオードタブを回り込ませることなく、必要に応じて第1太陽電池300を効果的にバイパスできる。このアプローチの柔軟性によって、隣接した太陽電池を直列又は並列アレイに形成でき、必要に応じて高電圧又は大電流用途をサポートする。
【００２７】
図4Dは、本発明の例示的な実施形態に従って例示的な太陽電池アレイに関連して使用される例示的な相互接続タブ406及びバイパスダイオードタブ408の近接側面図である。図4Dに示したように、相互接続タブ406は、上部接続部402を介して第1太陽電池300の上面に接続されている。相互接続タブ406は、さらに、上部接続部404を介して隣接した太陽電池301の上面に接続されている。特に、相互接続タブ406は、隣接する太陽電池301の裏面金属層310の上面に形成された露出したエッチング面308に接続されている。図4Dにさらに示したように、バイパスダイオードタブ408は、太陽電池300の上面に設けられたバイパスダイオード409に接続されている。さらに、バイパスダイオードタブ408は、隣接した太陽電池301の上面にも接続されている。バイパスダイオードタブ408は、隣接した太陽電池301の露出したエッチング面308に接続されている。
【００２８】
本明細書に記載された太陽電池組立技法は、単一接合太陽電池、二重接合太陽電池、及び倒置型メタモルフィック多接合(IMM)太陽電池などの多接合太陽電池を含むがそれらに限定されない複数種類の太陽電池と組み合わせて使用できる。
【００２９】
本願の様々な実施形態に従って太陽電池アレイを形成するための組立方法の例示的な段階が、図5のフローチャート500に示されている。この方法は、第1太陽電池を設ける段階を含む(段階502)。第1太陽電池は、裏面金属層の上に設けられた半導体層を含む従来の太陽電池としてよい。裏面金属層の上面の一部を露出させるため、第1太陽電池の半導体層の一部がエッチングされる(段階504)。第2太陽電池が第1太陽電池に隣接して設けられる(段階506)。第2太陽電池は従来の太陽電池でもよいし、或いは、露出したエッチング裏面金属表面を含めるために本願の教示に従って形成されたものとしてもよい。第2太陽電池が第1太陽電池以外の他の太陽電池に接続されない場合、第2太陽電池は露出したエッチング表面を備える必要はない。第1太陽電池の露出した裏面金属層の上面は、相互接続タブを用いて第2太陽電池の上面に接続される(段階508)。第2太陽電池の上面は、1つ又は複数のグリッド線を含むことができる。第1太陽電池の露出した裏面金属層の上面は、第2太陽電池の上面に設けられたグリッド線に接続できる。
【００３０】
図6は、本願の接続方法を用いて太陽電池組立体を形成するための段階を説明したフローチャート600を示す。露出した裏面金属部分を備えた複数の太陽電池が設けられる(段階602)。上述したように、太陽電池は、裏面金属層の上面においてエッチング面を含むように形成できる。これら複数の太陽電池をフィルム層の上に固定するために、接着剤がフィルム層に塗布される(段階604)。これら複数の太陽電池は、例えば太陽電池アレイを形成するためにこのフィルム層の上に配置される(段階606)。バイパスダイオードが、これら太陽電池の上側から太陽電池に取り付けられかつ/又は接続される(段階608)。これらバイパスダイオードは、溶接又は他の任意適切な方法によって太陽電池に取り付ければよい。相互接続タブが、これら太陽電池の上側から太陽電池に取り付けられる(段階610)。これら相互接続タブは、溶接又は他の任意適切な方法によって太陽電池に取り付ければよい。接着剤がこの組立体に塗布される(段階612)。上部フィルムをこの組立体にラミネートし、これら複数の太陽電池を所定位置に固定する(段階614)。この上部フィルム及び接着剤は、その下にある太陽電池に最大の光強度及びスペクトルを透過させるために必要な特性を備えていなければならない。
【００３１】
本明細書に記載された太陽電池アレイを形成するための組立方法は、接合ツールが太陽電池アレイに一方の側からアクセスするだけでよいので、高速かつ高効率の大量生産を可能とする。この方法は、さらに、太陽電池アレイの取り扱いを少なくし、かつ損傷の可能性を減少させ、これが、製造及び組立工程からの太陽電池の歩留まりを増加させる。
【００３２】
本願の多くの修正及び代替的な実施形態は、上述の記載を考慮すれば通常の技能を備えた当業者には明白となるはずである。従って、この記載は、例示的なものとしてのみ解釈されるべきであり、また、これは通常の技能を備えた当業者に本願を実施するための最良の様態を教示するためのものである。上述の構成の詳細は、本願の精神から逸脱することなく実質的に変更することができ、添付した特許請求の範囲内に入る全ての修正の排他的使用権は、保持されている。本願は、添付の特許請求の範囲及び適用法規が要求する範囲においてのみ限定されることが意図されている。
【００３３】
更に、以下の特許請求の範囲は、ここに説明された本発明の全ての一般的特徴と具体的特徴とを網羅するものであり、また本発明の範囲に関する全ての言明をも網羅する。
【図１】
2012526396.tif 000003
【図２Ａ】
2012526396.tif 000004
【図２Ｂ】
2012526396.tif 000005
【図２Ｃ】
2012526396.tif 000006
【図２Ｄ】
2012526396.tif 000007
【図３】
2012526396.tif 000008
【図４Ａ】
2012526396.tif 000009
【図４Ｂ】
2012526396.tif 000010
【図４Ｃ】
2012526396.tif 000011
【図４Ｄ】
2012526396.tif 000012
【図５】
2012526396.tif 000013
【図６】
2012526396.tif 000014
【国際調査報告】
2012526396.tif 000015